(57)【要約】【課題】単管５の下端を台板２の角近傍で支持することができるとともに、単管５の下端を台板２の中央でも支持することができる単管足場の固定ベース金具１を提供する。【解決手段】略矩形平板上の台板２と、該台板２上に直立して移動自在に設けられた支柱３とからなる単管足場の固定型ベース金具１において、前記台板２がそのいずれかの一辺に沿って略平行に形成された横溝２１ａと、前記台板２の略中央を通り前記横溝２１ａと略直交するように形成された縦溝２１ｂとにより、少なくともＴ字状に貫通したスライド溝２１を有し、前記支柱３は、その直径が前記単管足場６の単管５に外嵌され、且つ、前記スライド溝２１の幅より大きくなるように形成され、前記支柱３の下端に形成された被係着部３２と前記台板の裏面側に配置された係着部４とを係着させることにより、前記台板２と前記支柱３とを固定する。【選択図】図４
2009138357.tif 000002
【特許請求の範囲】
【請求項１】
略矩形平板状の台板と、該台板上に直立して移動自在に設けられた支柱とを具備する単管足場の固定型ベース金具において、
前記台板がそのいずれかの一辺に沿って略平行に形成された横溝と、前記台板の略中央を通り前記横溝と略直交するように形成された縦溝とにより、少なくともＴ字状に貫通したスライド溝を有し、
前記支柱は、その直径が前記単管足場の単管に外嵌され、且つ、前記スライド溝の幅より大きくなるように形成され、
前記支柱の下端に形成された被係着部と前記台板の接地面側に配置された係着部とを係着させることにより、前記台板と前記支柱とを固定することを特徴とする単管足場の固定型ベース金具。
【請求項２】
前記台板は、把持穴を更に有することを特徴とする単管足場の固定型ベース金具。
【請求項３】
前記支柱は、その下端が外側に広がって鍔を形成することを特徴とする単管足場の固定型ベース金具。
【発明の詳細な説明】
【技術分野】
【０００１】
この発明は、単管足場の固定型ベース金具に関し、特に隣地境界付近においても安定して単管足場を支えることができる固定型ベース金具に関する。
【背景技術】
【０００２】
従来、単管足場の固定型ベース金具としては、矩形の台板の略中央に単管の下端に挿入される支柱を溶接などにより立設固定した固定型ベース金具が用いられていた。これにより足場に用いられる単管の下端が地面にめり込むことなく、単管の荷重を地盤に伝達することができる。しかしこのような、単管足場の固定型ベース金具を隣地境界付近に配置した場合、単管そのものは敷地内にあっても、固定型ベース金具の一部が隣地境界を越境する虞があった。また、単管の下端を塀などの固定物の付近に配置する必要がある場合には、単管足場の固定型ベース金具を設置することができない場合があった。
【０００３】
そこで、例えば図１１に示すような、固定型ベース金具１００が提案されている。この固定型ベース金具１００は、例えば任意の位置に凹凸をプレス加工し、軽量化のために穴抜きを施した金属材料で形成された正方形平板状の台板１０１と、この台板１０１の一面上に間隔を隔てて対向して配置された一対のガイド片１０２、１０３と、これら一対のガイド片１０２、１０３の間に配置され、ガイド片１０２、１０３によって抑えられ、矢印の方向に案内される支持板１０４と、この支持板１０４の周縁近傍に立設される支柱１０５と、を備えている（例えば特許文献１）。
【０００４】
単管５の下端が隣地境界Ｒ付近に位置することとなる場合には、一対のガイド片１０２、１０３の間に配置した支持板１０５を支柱１０５が台板１０１の角近傍に位置するように移動させてから、支持板１０４と台板１０１とをストッパ１０６で固定する。そして単管５の下端を支柱１０５に外嵌により装着して、単管５の下端を台板１０１に固定する。これにより、単管５は台板１０１の角近傍に配置されるので、単管５の下端が隣地境界Ｒ付近にある場合に、台板１０１が、隣地境界Ｒを越境する虞がない。また、単管５の下端が図示しない塀などの固定物の付近にある場合にも単管足場の固定型ベース金具１００を設置することができる。
【特許文献１】特開２０００−１９９３３５号公報
【発明の開示】
【発明が解決しようとする課題】
【０００５】
しかし、上述のような単管足場の固定型ベース金具１００では、隣地境界Ｒ付近や塀などの固定物の付近に越境しないように台板１０１の角近傍で単管５を支持することはできるが、隣地境界Ｒ付近や塀などの固定物の付近でない場合のように、より安定して単管５を支持することができるように単管５の下端を台板１０１の中央に配置したい場合に、単管５の下端を台板１０１の中央に配置することはできない。
【０００６】
そこで本発明は、単管の下端を台板の角近傍で支持することができるとともに、単管の下端を台板の中央でも支持することができる単管足場の固定型ベース金具を提供することを目的とする。
【課題を解決するための手段】
【０００７】
上記目的を達成するために、請求項１記載の単管足場の固定型ベース金具は、略矩形平板状の台板と、該台板上に直立して移動自在に設けられた支柱とを具備する単管足場の固定型ベース金具において、前記台板がそのいずれかの一辺に沿って略平行に形成された横溝と、前記台板の略中央を通り前記横溝と略直交するように形成された縦溝とにより、少なくともＴ字状に貫通したスライド溝を有し、前記支柱は、その直径が前記単管足場の単管に外嵌され、且つ、前記スライド溝の幅より大きくなるように形成され、前記支柱の下端に形成された被係着部と前記台板の接地面側に配置された係着部とを係着させることにより、前記台板と前記支柱とを固定することを特徴としている。
【０００８】
なお、ここで「少なくともＴ字状に貫通」とは、Ｔ字状に貫通するものの他に、例えばＨ字状や十字状などのように、Ｔ字を含みつつ更に縦溝及び／又は横溝に交わる溝が形成されたものを含む。
【０００９】
請求項２記載の単管足場の固定型ベース金具は、前記台板は、把持穴を更に有することを特徴としている。
【００１０】
請求項３記載の単管足場の固定型ベース金具は、前記支柱は、その下端が外側に広がって鍔を形成することを特徴としている。
【発明の効果】
【００１１】
請求項１に記載の単管足場の固定型ベース金具によると、略矩形平板状の台板と、該台板上に直立して移動自在に設けられた支柱とを具備する単管足場の固定型ベース金具において、前記台板がそのいずれかの一辺に沿って略平行に形成された横溝と、前記台板の略中央を通り前記横溝と略直交するように形成された縦溝とにより、少なくともＴ字状に貫通したスライド溝を有し、前記支柱は、その直径が前記単管足場の単管に外嵌され、且つ、前記スライド溝の幅より大きくなるように形成され、前記台板と前記支柱との固定が、前記支柱の下端に形成された被係着部と、台板の接地面側に設けられた係着部によりなされるので、台板の角近傍に位置する横溝の両端及び台板の中央に位置する縦溝の一端に支柱を固定することができる。したがって、単管の下端を隣地境界付近や塀などの固定物の付近に配置する場合には、支柱を台板の角近傍に固定することで台板が隣地境界を越境することを防ぎ、また、台板が固定物に当って単管足場の固定型ベース金具を設置できないことを防ぐと共に、単管の下端を隣地境界付近ではない位置に配置する場合には、支柱を台板の中央に固定することで単管の下端をより安定して支持することができる。
【００１２】
このように、１つの道具で、隣地境界付近や塀などの固定物の付近に単管の下端を配置する場合と、隣地境界や塀などの固定物の付近でない場合のように十分なスペースが取れる場合とのいずれの場合にも本発明の単管足場の固定型ベース金具を用いることができるので、２種類の道具を用意する必要が無く、道具の管理負担を軽減することができる。
【００１３】
特に、本発明の単管足場の固定型ベース金具は、矩形平板上の台板の角近傍に支柱を配置することができるので、例えば正方形や長方形の敷地の角の付近に単管の下端を配置する必要があるような場合においても、台板の一部が隣地境界を越境することなく単管を支持することができる。
【００１４】
請求項２記載の単管足場の固定型ベース金具によると、台板は、把持穴を更に有するので、この把持穴を持って運搬することで、単管足場の固定型ベース金具をより簡単に運搬することができる。
【００１５】
請求項３記載の単管足場の固定型ベース金具によると、支柱はその下端が外側に広がって鍔を形成するので、単管足場からの荷重を鍔により台板に伝達することができ、単管足場の荷重を台板で確実に受けることができる。
【発明を実施するための最良の形態】
【００１６】
この発明における単管足場の固定型ベース金具１の最良の実施形態について、以下に図面を参照しつつ説明する。単管足場の固定型ベース金具１は、図１から図３に示すように、平板状の金属材料で構成された台板２と、この台板２上面に取り付けられた支柱３と、この支柱３の下端に設けられた被係着部３２に螺着する係着部４と、を具備している。
【００１７】
台板２は、一部の角が円弧状に形成された略長方形の平板であって、台板２の一辺に沿って形成され台板２を貫通する横溝２１ａと、この横溝２１の長手方向の中心から台板２の中心まで台板２を貫通する縦溝２１ｂとからなるＴ字状のスライド溝２１が設けられている。スライド溝２１の台板２接地面２３側は、縁がやや切り込まれて切り込み縁２１ｃを形成している。このように、切り込み縁２１ｃを形成することで、ボルト状の係着部４のネジ頭４２が台板２の接地面２３から突出しないように構成されるので、単管足場の固定型ベース金具１の接地面２３がほぼ平らになる。したがって、単管足場の固定ベース金具１を、例えばコンクリートなどの固い地面に載置する場合にも、単管５からの荷重を安定して地盤に伝達することができる。なお、本発明の実施形態はこれに限定されるものではなく、切り込み縁２１ｃを設けない構成としてもよい。
【００１８】
また、台板２の横溝２１ａが設けられた辺と反対側の辺付近には、単管足場の固定型ベース金具１を運搬する際に把持することができるように半円状に貫通された把持穴２２が設けられている。このように把持穴２２が形成されることで、単管足場の固定型ベース金具の運搬が極めて容易になる。
【００１９】
なお、台板２の大きさは、例えば各辺がそれぞれ１２０ｍｍ以上の長さで、その厚さが５．４ｍｍ以上であることが好ましいがこれに限定されるものではない。また、台板２は、上述の構成に限られるものではなく、スライド溝２１及び把持穴２２の他に、例えば、水抜き孔を備える構成であってもよい。さらに、例えば、台板２の接地面２３に滑り止めの突起を設ける構成であってもよい。
【００２０】
支柱３は、下端がスライド溝２１の幅よりも長く広がった鍔３１を形成し、内部の下端付近にはネジ穴形状の被係着部３２が形成されている。支柱３の上部は、単管足場６に用いられる単管５に挿入できる大きさの円筒形状のほぞ３３が形成されている。また、係着部４は、雄ネジ４１とネジ頭４２とからなるボルト形状であり、雄ネジ４１は被係着部３２に螺合される形状であって、ネジ頭４２はスライド溝２１の幅よりも長い直径に形成されている。なお、本実施形態においては、被係着部３２がネジ穴形状に形成されるとともに、係着部４がボルト形状に形成されているがこれに限定されるものではなく、例えば、被係着部が支柱３の下端から突出する雄ネジ形状に形成され、係着部が被係着部に螺着するナット形状に形成されたものであっても良い。
【００２１】
なお、支柱３のほぞ３３は、例えば２．２ｍｍ以上の厚さの円筒であって、且つ、単管５に差し込まれる部分の長さが９５ｍｍ以上のものであることが好ましいがこれに限定されるものではない。
【００２２】
図４に示すように、台板２を挟んで支柱３と係着部４とを配置し、係着部４の雄ネジ４１をスライド溝２１に挿入した状態で、支柱３の被係着部３２と係着部４の雄ネジ４１とを螺合させて、台板２に挟着する。そして、この支柱３と係着部４との螺合をやや緩めることで、支柱３はスライド溝２１に沿ってスライドすることができる。
【００２３】
以上のように構成されることで、単管足場の固定型ベース金具１は図５に示すように、支柱３を横溝２１ａの両端のいずれかにスライドさせて固定すると、台板２の一辺の両端のいずれかの角近傍に支柱３を配置することができる。また、支柱３を縦溝２１ｂの端部にスライドさせて固定すると、台板２の中央に支柱３を配置することができる。
【００２４】
例えば、建築作業現場において単管足場６を組み立てる際に、単管５の下端の設置位置が隣地境界Ｒや塀Ｈなどの固定物の付近となる場合に、単管足場の固定型ベース金具１の支柱３を台板２の中央に配置した状態では、図６に示すように、台板２の一部が隣地境界Ｒを越境することや塀Ｈが障害となって単管足場の固定型ベース金具１が設置できない場合がある。
【００２５】
そこで、このような場合には図７及び図８に示すように、まず、支柱３を横溝２１ａの一端に配置して、係着部４を螺合させて固定する。そして、支柱３が隣地境界Ｒ側となるように、単管足場の固定型ベース金具１を地面Ｇに載置する。このようにすると、支柱３が隣地境界Ｒ付近に配置された状態で、台板２が越境することも無く、また、付近に塀Ｈなどの固定物があっても設置することができる。そして、支柱３を単管５の下端に挿入して、単管５の荷重を台板２で受けることができる。
【００２６】
特に、正方形や長方形の敷地の角付近に単管５の下端を配置する必要がある場合に、支柱３が台板２の角近傍に配置されることで、台板２が越境することなく、単管足場の固定型ベース金具１を設置することができる。
【００２７】
一方、単管５の下端の設置位置が隣地境界Ｒや塀Ｈなどの固定物の付近とならない場合には、単管足場の固定型ベース金具１の支柱３を台板２の角近傍に配置する必要が無い。また、単管５の下端に挿入される支柱３は、台板２の角近傍に配置するよりも台板２の中心に配置するほうがより安定的に支持することができる。
【００２８】
そこで、このような場合には、図７及び図９に示すように、支柱３を縦溝２１ｂの端部に配置して、係着部４を螺合させて固定して、支柱３を台板２の中央に配置する。そして、単管５の下端が配置される位置の地面Ｇに単管足場の固定型ベース金具１を載置する。このようにして、単管５の下端を台板２の中央で支持することができる。
【００２９】
以上のように、本実施形態の単管足場の固定型ベース金具１は、隣地境界Ｒ付近や塀Ｈなどの固定物の付近に単管５の下端を配置する場合にも、単管５の荷重を地面Ｇに伝えて、単管５が地面にめり込むことを防ぐ道具として用いることができるとともに、隣地境界Ｒ付近や塀Ｈなどの固定物の付近ではなく、十分なスペースがある場合には、台板２の中心で単管５の荷重を受けることで、より安定して単管５を支持することができる。このように、本実施形態の単管足場の固定型ベース金具１は、１つの道具でいずれの場合にも用いることができるので、それぞれに別の道具を用意する場合に比べて、作業が簡単になり、道具の管理負担も軽減することができる。
【００３０】
なお、本発明の実施の形態は上述の形態に限ることなく、本発明の思想の範囲を逸脱しない範囲で適宜変更することができることは云うまでもない。本実施形態においては、スライド溝２１はＴ字状に形成されているが、例えば図１０に示すように第２の横溝２１ｄを更に設けて、Ｈ字形状に形成されたものであっても良い。また、本発明に係るスライド溝２１は、Ｔ字状に形成された上に更に縦溝を延ばして、十字状に形成されたものであっても良く、その他、少なくともＴ字状に形成された上に更に縦又は横向きの溝を設けるものであっても良い。
【産業上の利用可能性】
【００３１】
本発明に係る単管足場の固定型ベース金具１は、隣地境界Ｒ付近や塀Ｈなどの固定物付近に単管５の下端が配置される場合に、単管５の荷重を支える道具として、好適に用いることができる。
【図面の簡単な説明】
【００３２】
【図１】本実施形態の単管足場の固定型ベース金具を上方からみた斜視図。
【図２】本実施形態の単管足場の固定型ベース金具を示す断面図。
【図３】本実施形態の単管足場の固定型ベース金具を下方からみた斜視図。
【図４】本実施形態の単管足場の固定型ベース金具の構造を示す分解斜視図。
【図５】支柱がスライド溝に沿ってスライドする状態を示す平面図。
【図６】支柱を台板の中央に配置した状態で、隣地境界付近や塀などの固定物の付近に単管足場の固定型ベース金具を配置した場合の単管足場を示す簡略側面図及びその拡大図。
【図７】支柱を台板の角近傍に配置した状態で、隣地境界付近や塀などの固定物の付近に単管足場の固定型ベース金具を配置した場合の単管足場を示す簡略側面図及びその拡大図。
【図８】隣地境界付近や塀などの固定物の付近に単管足場の固定型ベース金具を設置する例を示す斜視図。
【図９】隣地境界付近や塀などの固定物の付近ではなく、十分なスペースを確保できる場所に単管足場の固定型ベース金具を設置する例を示す斜視図。
【図１０】スライド溝がＨ字状に形成された単管足場の固定型ベース金具を示す斜視図。
【図１１】従来の単管足場の固定型ベース金具の一例を示す斜視図。
【符号の説明】
【００３３】
１      単管足場の固定型ベース金具
２      台板
３      支柱
４      係着部
５      単管
６      単管足場
２１    スライド溝
２１ａ  横溝
２１ｂ  縦溝
２２    把持穴
３１    鍔
３２    被係着部
【図１】
2009138357.tif 000003
【図２】
2009138357.tif 000004
【図３】
2009138357.tif 000005
【図４】
2009138357.tif 000006
【図５】
2009138357.tif 000007
【図６】
2009138357.tif 000008
【図７】
2009138357.tif 000009
【図８】
2009138357.tif 000010
【図９】
2009138357.tif 000011
【図１０】
2009138357.tif 000012
【図１１】
2009138357.tif 000013